(57)【特許請求の範囲】
【請求項１】
装置が２つのエレメントを有し、
その第１のエレメントは、中点に関して対称に切取られたセグメントの２つの切断縁が平行に延びる円板の形を有する光記憶媒体であり、
第２のエレメントが、前記光記憶媒体と共に書込み装置および／または読取り装置のドライブに挿入できる、名刺またはクレジットカードのサイズの、特にプラスチックから成型されたカードである装置において、
前記カード（１）と前記記憶媒体（３）を相対的に回転した２つの位置でお互いに平らに重ね合わせたときに、前記両エレメントを固定する手段（２、１１）を特徴とする装置。
【請求項２】
前記カードが名刺またはクレジットカードの矩形フォーマットを有することを特徴とする請求項１に記載の装置。
【請求項３】
前記カードが円形であって、前記中点に関して対称に切取られたセグメントの２つの切断縁が平行に延びており、ここで、前記カードと記憶媒体が重ね合わされた状態で補完し合って１つの円板を形作ることを特徴とする請求項１に記載の装置。
【請求項４】
前記手段（２、１１）が前記エレメント（１、３）を着脱式に固定できるようにすることを特徴とする請求項１から３のいずれか一項に記載の装置。
【請求項５】
前記記憶媒体における前記切断縁（１０）の間隔が前記カードの幅に相当することを特徴とする請求項１から４のいずれか一項に記載の装置。
【請求項６】
前記２つの位置が互いに対して９０゜回転した位置であり、その一方の位置において前記記憶媒体（３）の前記切断縁（１０）が前記カードの縦縁に対して平行であることを特徴とする請求項１から５のいずれか一項に記載の装置。
【請求項７】
着脱式固定のための前記手段が、前記エレメント（１、３）にピボット（２）と穴（１１）を具備することを特徴とする請求項１から６のいずれか一項に記載の装置。
【請求項８】
前記カード（１）がその裏側（７）にピボット（２）を具備し、これらが、前記記憶媒体（３）の前記対応する穴（１１）に保持のために差込まれるようになっていることを特徴とする請求項７に記載の装置。
【請求項９】
前記ピボット（２）が摩擦の締合いで前記穴（１１）に保持されることを特徴とする請求項７または８のいずれかに記載の装置。
【請求項１０】
前記カード（１）が、その裏側（７）に、円弧を描く浮き上がった形の案内縁（８）を有し、その円弧の直径が前記記憶媒体（３）の直径に相当することを特徴とする請求項１から９のいずれか一項に記載の装置。
【請求項１１】
前記案内縁（８）がその端に、挿入の助けとなる傾斜（９）を有することを特徴とする請求項９に記載の装置。
【請求項１２】
前記円弧の直径および前記記憶媒体（３）の直径が８０ｍｍであることを特徴とする請求項１から１１のいずれか一項に記載の装置。
【請求項１３】
前記カード（１）が特に円形の中央開口部を持ち、装置が組立てられたとき、該開口部が前記記憶媒体（３）の中心穴（１３）と同軸に位置することを特徴とする請求項１から１２のいずれか一項に記載の装置。
【請求項１４】
意図的破断箇所（５）により保持されたカード部分（４）を破り取ることによって前記開口部が作られることを特徴とする請求項１３に記載の装置。
【請求項１５】
前記カード（１）および／または前記記憶媒体（３）に広告が印刷されていることを特徴とする請求項１から１４のいずれか一項に記載の装置。
【発明の詳細な説明】
【０００１】
本発明は、２つのエレメントを有する装置（システム）に係り、その第１のエレメントは、中点に関して対称に切取られたセグメントの２つの切断縁が平行に延びる円板の形をなす光記憶媒体で、第２のエレメントが、記憶媒体の読出しのために該記憶媒体と共に書込み装置および／または読取り装置のドライブに挿入できる名刺またはクレジットカードのサイズおよび／またはフォーマット（形状）の、特にプラスチックから成型されたカードである装置（システム）に関するものである。
【０００２】
光記憶媒体の情報密度がますます増大し、生産コストをますます下げる方向に技術開発が進むと共に、この媒体、特に単純なコンパクトディスク（ＣＤ）は量産品となり、瞬く間に情報担体として多くの用途を開拓するに至った。そうして今日、従来のパンフレットに代わってＣＤが広告媒体として配布され、利用者はそこからパーソナルコンピュータを介してそれぞれの企業に関する大量の情報を収集できる状況にある。ここで強調しておきたいのは、以下において“ＣＤ”なる用語が従来の意味でのＣＤだけでなく、ＤＶＤ、ＣＤＲＷ（再書込み可能なＣＤ）等の他の匹敵し得る媒体をも指すことである。
【０００３】
開発の進む中で、ＣＤが、クレジットカードの矩形フォーマットを有する名刺として考案されるようになった。そこでは、ＣＤは、クレジットカードの形状に合わせて裁断され、上面に情報テキストが印刷されている。他の実施例では、プラスチック製の名刺が、裏面に情報を記憶した円板を付けている。この種の情報担体および広告担体のために、標準ドライブで再生できる８０ｍｍサイズのＣＤが使用される。規格に従い、この種のカードは、カードの中心がドライブの受容部の中心と合わされており、そこで確実に保持されるのを保証するガイド構造を裏面に付ける。
【０００４】
しかしながら、従来公知のカードは、標準ドライブにおいて使用される場合、事情如何ではドライブそのものの完全な破壊につながる問題が発生し得るという点で問題がある。例えば再生において問題のある位相とは、カードの回転が制動され、カードが受容部の中におさまる位相である。このとき、カードが受容部にうまくガイドされないと、カードの縁が受容部に設けられた凹部と衝突してしまう。これによってアンバランスが生じ、カードはドライブ内部で固着する結果となる。つまり、ドライブは、それまで使われてきたカードに十分に安定した支持を提供できなくなる。これによって引き起こされる問題は、カードの広告目的を損なうものであり、ドライブの破壊に至った場合は、カード配布者に対する損害賠償請求にまで発展しかねない。
【０００５】
従来使われてきたカードの更なる問題は、情報領域または媒体領域、つまり記録された媒体構造領域を外部の影響から守らなければならない、つまり、カードを保護ケースの中にパックすることによって守らなければならないことである。このような保護ケースは、利用者がカードを身近なものとして便利に扱うことに役立たないので、受入れられる数は少なく、広告効果も小さい。
【０００６】
よって、本発明の課題は、このようなカードをもって、単純かつ値頃な作りで特に大きい広告効果を持ち、カードの軽便な扱いを可能にし、なかんずく再生時に任意のドライブの安全確実な動作を保証する装置（システム）を創造することである。
【０００７】
この課題は、請求項１に記載の特徴を有する装置（システム）によって解決される。
【０００８】
本発明による装置（システム）の特殊性は、これが最初分離している２つのエレメント、すなわち、裁断されたＣＤと特にプラスチックから成型されたカードを具備し、この２つをドライブに挿入する前に独創的な仕方で重ね合わせることにある。この２つのエレメントからなる装置（システム）は、従って２つの状態を持つ。すなわち、クレジットカードのフォーマット（形状）を有し、クレジットカードそのものとして扱い、仕舞うことのできる第１の状態（携帯状態）と、ＣＤと同様のフォーマットを持ち、ドライブに挿入して読取りおよび／または書込みできる第２の状態（再生状態）である。従って、携帯状態では、カードと記憶媒体が、クレジットカードと同じ厚み、同じサイズを有し、平面的に重なり合う２つのエレメントを形作る。こうして、重ねたものを便利よく財布に入れて保管できることになる。
【０００９】
特に好適な実施例では、カードは、縦縁と横縁がそれぞれ平行な矩形をなし、従って、クレジットカードのフォーマットを有する。装置（システム）は従って、再生状態のときに縦縁が外へ湾曲した矩形カードの面を見せる。また、横縁を円弧の形に作り、それで、カードと円形にされた記憶媒体が互いに９０゜回転して一体化した再生状態のときにＣＤと同様の円板を形作るようにすることも可能である。
【００１０】
述べた通り、装置（システム）をドライブに挿入する前に両エレメントは互いに回転させられ、それで、ＣＤがカードの角部から現れ出て、装置（システム）をドライブ内部に落ち着かせるのに役立つアクティブ面が増大することになる。理想のケースでは、エレメントが９０゜シフトした後、ドライブの対応する受容部にぴったり挿入でき、普通のＣＤのように確実にドライブ内を運動できる特に８０ｍｍの直径を持つ完全な円板が出来上がる。
【００１１】
両エレメントをドライブ内での動作の間、互いに確実に保持できるようにするため、両エレメントの保持を保証する本発明による手段が設けられている。特に単純な実施例では、例えば粘着ボンド等の接着剤を使って両エレメントを貼り合わせることができ、その場合、接着剤はできれば、両エレメントを着脱式に接着するタイプのものが望ましい。また、有利な一実施例では、例えば留め金等の単純な機械的手段を使って両エレメントを着脱式に密着させることもできる。
【００１２】
本発明による装置（システム）は、すでに述べた通り、改良された心合わせにより、システムが挿入されたドライブの安全確実な動作を保証するという特別な利点を有する。全円の形で機械式案内構造を持つこの表面積の大きい装置（システム）は、従って、ドライブによって予め与えられた標準の作りに理想的な形でフィットする。そこで、装置（システム）は、ドライブ内をほとんど振れなしに回転でき、アンバランスが生じてもほとんど動じないという特長を示す。同時に、装置（システム）は単純かつ値頃であり、従って量産でき、軽便な扱いが可能である。ドライブへの挿入の前に分離している両エレメントを互いに回転させて再び一体化させるだけでよい。使用後、装置（システム）は、同じく単純な仕方で財布の中におさまる元の携帯状態に戻すことができる。装置（システム）は、こうして随時繰返し使用できることになる。
【００１３】
装置（システム）は更なる利点を示す。例えば、カードを傷つき易いＣＤのための保護体として、従ってまた、包装として使用することも、単純な仕方でできる。そのため、装置（システム）は、ＣＤの書込み済み領域ないしは書込み可能な領域が装置（システム）の挿入された状態においてカード表面に対して面することにより保護されるように設計される。再生状態に切替わると、ＣＤは９０゜旋回するだけでなく向きの変更もできるので、書込み領域は暴露される。装置（システム）は、裏返して初期状態に戻すこともできる。ＣＤを表裏逆にすることで、カードの表面もＣＤの表面も広告の印刷に使える。このようにして、装置（システム）の広告媒体としての効果を更に高めることができる。情報または広告が印刷できる面積は、装置（システム）の特別な一実施例では、ドライブ内部での装置（システム）の保持に必要な一般的に中央の通路の開口部を当初、意図的切断箇所を所定の位置に有するカードの一部分で塞いでおくことによって広げることができる。装置の最初のドライブへの挿入の前に、カードの中央部は単に破断可能である。
【００１４】
以下、本発明による装置（システム）の特別な実施例を図１〜６に則して詳細に説明する。
【００１５】
図１に示してあるのは、従来公知のクレジットカードとほぼ同じフォーマットを有するプラスチック製の矩形カード１である。平面図とその下の断面図を見て分かる通り、カード１の表面から４個のピボット２が、該カードをＣＤ３（図２）に着脱式に固定する手段として突き出ている。ピボット２は、ここで正方形の角隅に対称形に振り分けられている。カードの中央には円板状のカード部分４があり、意図的切断箇所としての穿孔部を介してカード１の残りとつながっている。カード部分４を破り取った後、カード１は、中央に所定の直径の円形開口部を見せる。装置（システム）を組立てたとき、円形開口部は記憶媒体３の中心穴と同軸に位置し、装置（システム）を読取り装置のドライブの上に定着させるのに役立つ。カード１は、広告面として役立つ表側６と、浮き上がった形の案内縁８が形成された裏側７を有する。案内縁８は、僅少の遊びを考慮した上で記憶媒体３の外径に相当する内径を持つ円弧を描いている。加えて、案内縁８は、その端に、装置（システム）の動作可の状態（図３）のときに挿入の助けとなる傾斜９を付けている。
【００１６】
図２には、記憶媒体として、２つの切断縁が平行に延びる円板の形をなすＣＤ３が示してあり、ここで、切断縁１０の間隔がカード１の幅にほぼ相当する。これにより、ＣＤ３は、同一空間においてカード１の上に載せることができる。ＣＤ３をカード１に着脱式に固定するため、ＣＤ３には穴１１がピボット２の当たる位置にあけられている。ここで、ピボット２は、ある程度の力の締合いで穴１１に嵌まり込むように寸法決めされている。情報を担う媒体領域１２は、ＣＤにおいて知られている通り、表面にリングとして設けられている。図には更に、ＣＤ３を受容するのに必要な基準の穴１３が見られる。
【００１７】
図４には、両エレメントの長軸が９０゜の角度を作る、組合わされた状態（再生状態）の装置（システム）が示してある。ここでは、カード１と記憶媒体２が平らに重ね合わせてあり、両エレメント１と３の保持が、穴１１に差込まれたピボット２によって保証される。この状態のとき、媒体領域１２はカード１の下側７に密着しており、従って、外部の影響から守られている。カード部分４は、この状態ではまだ破り取られていない。
【００１８】
図３は、書込み装置および／または読取り装置のドライブに挿入できる状態の装置（システム）を示す。ここで、ＣＤ３は９０゜回転した状態でカード１に固定されており、このとき、記憶媒体３の切断縁１０は横縁１５に対して平行、縦縁１６に対して垂直の位置にある。媒体領域１２は、表面が暴露されており、従ってレーザーで走査することができる。傾斜９があるために、両エレメント１と３の間に調和的な移行部１４が存在し、これで、読取り装置の受容部への精確な挿入が可能となっている。カード１の中央開口部は、この状態であけられている。
【００１９】
図５には、図１に示したカード１と比較して横縁２１が円弧状になったプラスチック製のカード２０が示してある。カード２０の表面からは、再び、正方形の角隅に対称形に振り分けられた４個のピボット２２が、該カードを記憶媒体に着脱式に固定する手段として突き出ている。カード２０は、中央開口部２３および傾斜の付いた案内縁２４を有する。長縁２５（切断縁）には掴み凹部２６が設けられている。カードの円弧状の横縁２１は、前記ＣＤ３に類似した記憶媒体２８の円弧状の横縁２９と補完し合って１つの円を形作るので（図６）、両エレメント、カード２０と記憶媒体２８からなる装置（システム）は、ＣＤのような円形となる。
【図面の簡単な説明】
【図１】  図１は、クレジットカードフォーマットの個々のカードを示す。
【図２】  図２は、個々の記憶媒体を示す。
【図３】  図３は、回転可能な再生状態における装置（システム）を示す。
【図４】  図４は、一体化した携帯状態における装置（システム）を示す。
【図５】  図５は、円弧状の縁を持つカードを示す。
【図６】  図６は、再生状態における装置（システム）を示す。
【図２】
0003905384.tif 000002
【図１】
0003905384.tif 000003
【図４】
0003905384.tif 000004
【図３】
0003905384.tif 000005
【図５】
0003905384.tif 000006
【図６】
0003905384.tif 000007